(57)【要約】【課題】本発明の目的は、なくしにくいジャンパーアセンブリーを提供することである。【解決手段】本発明のジャンパーアセンブリーは、絶縁本体及び絶縁本体内に設置され且つ一列に配列される複数のピンを備え、絶縁本体の両側にはそれぞれ係合スロットが設置されるコネクターと、底部には導電シートが設置され、両側には２つの前記係合スロットにスライド可能に係合する２つの係合フックが設置されるジャンパーと、を備え、ジャンパーをコネクターの一列のピンに相対してスライドさせて、ジャンパーの導電シートはコネクターの隣り合う２つのピンに同時に当接して、この２つのピンは電気接続する。【選択図】図３
2014127468.tif 000002
【特許請求の範囲】
【請求項１】
絶縁本体及び前記絶縁本体内に設置され且つ一列に配列される複数のピンを備え、前記絶縁本体の両側にはそれぞれ係合スロットが設置されるコネクターと、
底部には導電シートが設置され、両側には２つの前記係合スロットにスライド可能に係合する２つの係合フックが設置されるジャンパーと、
を備え、
前記ジャンパーを前記コネクターの一列のピンに相対してスライドさせて、前記ジャンパーの導電シートは前記コネクターの隣り合う２つのピンに同時に当接して、この２つのピンは電気接続することを特徴とするジャンパーアセンブリー。
【請求項２】
前記絶縁本体は互いに反対側に位置する２つの側壁及び２つの前記側壁の両端を接続する２つの端壁を備え、２つの前記側壁及び２つの前記端壁が囲んで頂部に開口を有する収容部を形成し、複数の前記ピンは前記収容部に収容され、前記ジャンパーは前記開口に対面して前記絶縁本体の頂部にスライド可能に装着されることを特徴とする請求項１に記載のジャンパーアセンブリー。
【請求項３】
前記絶縁本体の２つの前記側壁の内側の頂部にはそれぞれ１つの支持部が前記収容部に向かって延在して形成され、前記ジャンパーは、頂板及び前記頂板の底面から延在されて前記絶縁本体の前記収容部に収容されるスライダを備え、前記スライダは２つの前記支持部に当接し且つ２つの前記支持部に沿ってスライドすることを特徴とする請求項２に記載のジャンパーアセンブリー。
【請求項４】
前記頂板は前記絶縁本体の２つの前記側壁の頂部に当接することを特徴とする請求項３に記載のジャンパーアセンブリー。
【請求項５】
前記スライダの底部には第１凹部が形成され、前記導電シートは前記第１凹部に設置されることを特徴とする請求項３または４に記載のジャンパーアセンブリー。
【請求項６】
前記絶縁本体の２つの前記側壁の外側の頂部にはそれぞれ１つの収容スロットが設けられ、各々の前記収容スロットの前記収容部に近い底壁の下部には前記係合スロットが設けられ、前記ジャンパーの前記頂板の底面の両側にはそれぞれ１つの係合部が設置され、前記係合部の末端には前記係合フックが設置されることを特徴とする請求項３から５のいずれか一項に記載のジャンパーアセンブリー。
【請求項７】
前記絶縁本体の２つの前記端壁の頂部にはそれぞれ１つの第２凹部が設けられ、前記ジャンパーの前記頂板の底面の両端には２つの弾性部が設置され、前記ジャンパーがスライドして、前記導電シートが１つの前記端壁に近い２つの前記ピンに当接すると、前記ジャンパーの対応する一端の弾性部は前記絶縁本体の対応する第２凹部に係合することを特徴とする請求項３から６のいずれか一項に記載のジャンパーアセンブリー。
【発明の詳細な説明】
【技術分野】
【０００１】
本発明は、ジャンパーアセンブリーに関するものである。
【背景技術】
【０００２】
ジャンパーは、マザーボードのコネクターの２つのピンを接続するために用いられ、頻繁にコネクターに取り付けられるか又はコネクターから取り外される。
【発明の概要】
【発明が解決しようとする課題】
【０００３】
しかし、ジャンパーは非常に小さいので、コネクターからジャンパーを取り外してからなくし易い。
【０００４】
本発明の目的は、前記課題を解決し、なくしにくいジャンパーアセンブリーを提供することである。
【課題を解決するための手段】
【０００５】
本発明に係るジャンパーアセンブリーは、絶縁本体及び絶縁本体内に設置され且つ一列に配列される複数のピンを備え、絶縁本体の両側にはそれぞれ係合スロットが設置されるコネクターと、底部には導電シートが設置され、両側には２つの前記係合スロットにスライド可能に係合する２つの係合フックが設置されるジャンパーと、を備え、ジャンパーをコネクターの一列のピンに相対してスライドさせて、ジャンパーの導電シートはコネクターの隣り合う２つのピンに同時に当接して、この２つのピンは電気接続する。
【発明の効果】
【０００６】
本発明のジャンパーアセンブリーにおいて、ジャンパーはコネクターの絶縁本体にスライド可能に装着され、ジャンパーでコネクターの２つのピンを電気接続しないときに、ジャンパーを取り外すことを必要としないので、ジャンパーをなくしにくい。
【図面の簡単な説明】
【０００７】
【図１】本発明の実施形態に係るジャンパーアセンブリーの分解斜視図である。
【図２】図１に示すジャンパーの別の視角から見た図である。
【図３】図１に示すジャンパーアセンブリーの組立斜視図である。
【図４】図３に示すジャンパーアセンブリーのＤ−Ｄ線に沿う部分断面図である。
【発明を実施するための形態】
【０００８】
以下、図面を参照して、本発明の実施形態について説明する。
【０００９】
図１を参照すると、ジャンパーアセンブリーは、コネクター１０及びジャンパー２０を備える。
【００１０】
コネクター１０は、絶縁本体１１と、絶縁本体１１の内部に設置され且つ一列に配列される第一ピン１２、第二ピン１３及び第三ピン１４と、を備える。絶縁本体１１は、互いに反対側に位置する２つの側壁１５及び２つの側壁１５の両端を接続する２つの端壁１６を備える。２つの側壁１５及び２つの端壁１６が囲んで収容部１８を形成し、収容部１８の頂部には開口が設けられる。第一ピン１２、第二ピン１３及び第三ピン１４の頂端は収容部１８に収容される。２つの側壁１５の外側の頂部にはそれぞれ１つの収容スロット１５０が設けられ、各々の収容スロット１５０の収容部１８に近い底壁の下部には係合スロット１５１が設けられる。２つの側壁１５の内側の頂部にはそれぞれ１つの支持部１５２が収容部１８に向かって延在して形成される。２つの端壁１６の頂部にはそれぞれ１つの凹部１６１が設けられ、各々の凹部１６１は収容部１８に近い側壁１６２を備える。
【００１１】
図２を一緒に参照すると、ジャンパー２０は、頂板２１及び頂板２１の底面から延在されるスライダ２２を備える。頂板２１の頂面には押圧部２３が設置され、押圧部２３にはスライディングを防止するための複数の突出リブ２３１が設置される。頂板２１の底面の両端には２つの弾性部２４が設置される、頂板２１の底面の両側の中間部にはそれぞれ１つのＬ字状の係合部２５が設置される。係合部２５は、弾性を有し、その末端には係合フック２５１が設置される。スライダ２２の底面には、台形断面を有し且つスライダ２２の両端を貫通する凹部２２１が設けられ、凹部２２１の内壁にはＵ字状の導電シート２２２が設置される。
【００１２】
図３及び図４を参照すると、組み立てる場合、ジャンパー２０のスライダ２２をコネクター１０の頂部の開口から収容部１８に収容して２つの支持部１５２に当接させる。ジャンパー２０の頂板２１は、コネクター１０の２つの側壁１５の頂端に当接する。ジャンパー２０の２つの係合部２５を別々に２つの収容スロット１５０に収容して、２つの係合部２５の係合フック２５１は別々に２つの収容スロット１５０の係合スロット１５１に係合する。ジャンパー２０の押圧部２３を操作して、コネクター１０の２つの支持部１５２に沿ってジャンパー２０をスライドさせて、ジャンパー２０の導電シート２２２の中間部が第二ピン１３に当接する場合、導電シート２２２は第一ピン１２及び第三ピン１４に当接しない。右に向かってジャンパー２０をスライドさせると、ジャンパー２０の右端の弾性部２４は対応する端壁１６に当接してから弾性変形して対応する側壁１６２を越えて凹部１６１の側壁１６２に当止され、導電シート２２２は第一ピン１２及び第二ピン１３に当接して、第一ピン１２及び第二ピン１３を電気接続する。左に向かってジャンパー２０をスライドさせると、ジャンパー２０の左端の弾性部２４は対応する端壁１６に当接してから弾性変形して対応する側壁１６２を越えて凹部１６１の側壁１６２に当止され、導電シート２２２は第二ピン１３及び第三ピン１４に当接して、第二ピン１３及び第三ピン１４を電気接続する。
【符号の説明】
【００１３】
１０  コネクター
１１  絶縁本体
１２  第一ピン
１３  第二ピン
１４  第三ピン
１５  側壁
１８  収容部
２０  ジャンパー
２１  頂板
２２  スライダ
２３  押圧部
２４  弾性部
２５  係合部
１５０  収容スロット
１５１  係合スロット
１５２  支持部
１６１  凹部（第２凹部）
１６２  側壁
２２１  凹部（第１凹部）
２２２  導電シート
２３１  突出リブ
２５１  係合フック
【図１】
2014127468.tif 000003
【図２】
2014127468.tif 000004
【図３】
2014127468.tif 000005
【図４】
2014127468.tif 000006